【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
基油および少なくとも１種のオイル添加剤を含む潤滑剤組成物であって、前記基油が、１０，０００ｇ／ｍｏｌ未満の数平均分子量を有するエチレン／α−オレフィン共重合体を含み、前記エチレン／α−オレフィン共重合体が、ＴＲＥＦを使用して分画されたとき、４０℃と１３０℃との間で溶離する分子画分を有し、前記分子画分が、同じ温度の間で溶離する比較可能なランダムエチレン共重合体画分のコモノマーモル含有量よりも少なくとも５パーセント高いコモノマーモル含有量を有することを特徴とし、ただし、前記比較可能なランダムエチレン共重合体は前記エチレン／α−オレフィン共重合体と同じコモノマーを有し、かつ、メルトインデックス、密度およびコモノマーモル含有量（ポリマー全体に基づく）を、前記エチレン／α−オレフィン共重合体のメルトインデックス、密度およびコモノマーモル含有量から１０パーセント以内で有し、前記組成物が０．０１ｍｇＫＯＨ／ｇ〜０．５ｍｇＫＯＨ／ｇの酸価を有する、潤滑剤組成物。
【請求項２】
基油および少なくとも１種のオイル添加剤を含む潤滑剤組成物であって、前記基油が、
（ａ）ＴＲＥＦを使用して分画されたとき、４０℃と１３０℃との間で溶離する少なくとも１種の分子画分であって、少なくとも０．５から約１までのブロックインデックスと、約１．３よりも大きい分子量分布（Ｍｗ／Ｍｎ）とを有することを特徴とする分子画分、または
（ｂ）ゼロよりも大きく、約１．０までの平均ブロックインデックス、および、約１．３よりも大きい分子量分布（Ｍｗ／Ｍｎ）
を有するエチレン／α−オレフィン共重合体を含む、潤滑剤組成物。
【請求項３】
前記エチレン／α−オレフィン共重合体が約１，０００ｇ／モル〜約５，０００ｇ／モルの数平均分子量範囲を有する、請求項１または２に記載の潤滑剤組成物。
【請求項４】
前記エチレン／α−オレフィン共重合体が約１．５〜４．０の分子量分布範囲を有する、請求項１〜３のいずれか１項に記載の潤滑剤組成物。
【請求項５】
前記エチレン／α−オレフィン共重合体が１００℃で約５ｃＳｔ〜３０ｃＳｔのブルックフィールド粘度を有する、請求項１〜４のいずれか１項に記載の潤滑剤組成物。
【請求項６】
前記エチレン／α−オレフィン共重合体が約０℃未満の流動点を有する、請求項１〜５のいずれか１項に記載の潤滑剤組成物。
【請求項７】
前記エチレン／α−オレフィン共重合体がＣ3〜Ｃ20α−オレフィンを含む、請求項１〜６のいずれか１項に記載の潤滑剤組成物。
【請求項８】
前記エチレン／α−オレフィン共重合体がＣ6〜Ｃ18α−オレフィンを含む、請求項１〜７のいずれか１項に記載の潤滑剤組成物。
【請求項９】
前記エチレン／α−オレフィン共重合体がＣ10〜Ｃ20α−オレフィンを含む、請求項１〜８のいずれか１項に記載の潤滑剤組成物。
【請求項１０】
前記エチレン／α−オレフィン共重合体がデセンを含む、請求項１〜９のいずれか１項に記載の潤滑剤組成物。
【請求項１１】
前記エチレン／α−オレフィン共重合体がドデセンを含む、請求項１〜９のいずれか１項に記載の潤滑剤組成物。
【請求項１２】
前記基油がさらに、ＡＰＩ第Ｉ類、ＡＰＩ第ＩＩ類、ＡＰＩ第ＩＩＩ類、ＡＰＩ第ＩＶ類、ＡＰＩ第Ｖ類の基剤ストックおよびそれらの組合せからなる群から選択されるオイルを含む、請求項１〜１１のいずれか１項に記載の潤滑剤組成物。
【請求項１３】
前記基油がさらに、天然油、合成油またはそれらの組合せを含む、請求項１〜１２のいずれか１項に記載の潤滑剤組成物。
【請求項１４】
前記添加剤が、粘度指数向上剤、清浄剤、分散剤、摩擦調整剤、流動点降下剤、抗乳化剤、消泡剤、腐食防止剤、摩耗防止剤、酸化防止剤、防錆剤、増粘剤またはそれらの組合せである、請求項１〜１３のいずれか１項に記載の潤滑剤組成物。
【請求項１５】
前記添加剤が粘度指数向上剤である、請求項１〜１４のいずれか１項に記載の潤滑剤組成物。
【請求項１６】
前記粘度指数向上剤がより高分子量のエチレン／α−オレフィンブロックコポリマーである、請求項１５に記載の潤滑剤組成物。
【請求項１７】
モーター油、トランスミッション液、ギア油、パワーステアリング液、ショックアブソーバー液、ブレーキ液、油圧油またはグリースである、請求項１〜１６のいずれか１項に記載の潤滑剤組成物。
【請求項１８】
モーター油である、請求項１７に記載の潤滑剤組成物。
【請求項１９】
前記モーター油がさらに、粘度指数向上剤、流動点降下剤、清浄剤、分散剤、摩耗防止剤、酸化防止剤、摩擦調整剤、防錆剤またはそれらの組合せを含む、請求項１８に記載の潤滑剤組成物。
【請求項２０】
トランスミッション液である、請求項１７に記載の潤滑剤組成物。
【請求項２１】
前記トランスミッション液がさらに、粘度指数向上剤、摩擦調整剤、清浄剤、分散剤、酸化防止剤、摩耗防止剤、極圧添加剤、流動点降下剤、消泡剤、腐食防止剤またはそれらの組合せを含む、請求項２０に記載の潤滑剤組成物。
【請求項２２】
ギア油である、請求項１７に記載の潤滑剤組成物。
【請求項２３】
前記ギア油がさらに、粘度指数向上剤、摩耗防止剤、極圧添加剤、防錆剤またはそれらの組合せを含む、請求項２２に記載の潤滑剤組成物。
【請求項２４】
グリースである、請求項１７に記載の潤滑剤組成物。
【請求項２５】
前記グリースがさらに、粘度指数向上剤、増粘剤、錯化剤、酸化防止剤、摩耗防止剤、極圧添加剤、消泡剤、腐食防止剤またはそれらの組合せを含む、請求項２４に記載の潤滑剤組成物。
【請求項２６】
基油および少なくとも１種のオイル添加剤を含む潤滑剤組成物であって、前記基油が、１０，０００ｇ／ｍｏｌ未満の数平均分子量を有するエチレン／α−オレフィン共重合体を含み、前記エチレン／α−オレフィン共重合体が、ＴＲＥＦを使用して分画されたとき、４０℃と１３０℃との間で溶離する分子画分を有し、前記分子画分が、同じ温度の間で溶離する比較可能なランダムエチレン共重合体画分のコモノマーモル含有量よりも少なくとも５パーセント高いコモノマーモル含有量を有することを特徴とし、ただし、前記比較可能なランダムエチレン共重合体は前記エチレン／α−オレフィン共重合体と同じコモノマーを有し、かつ、メルトインデックス、密度およびコモノマーモル含有量（ポリマー全体に基づく）を、前記エチレン／α−オレフィン共重合体のメルトインデックス、密度およびコモノマーモル含有量から１０パーセント以内で有し、前記エチレン／α−オレフィン共重合体がＣ6〜Ｃ18α−オレフィンを含む、潤滑剤組成物。
【請求項２７】
基油および少なくとも１種のオイル添加剤を含む潤滑剤組成物であって、前記基油が、
（ａ）ＴＲＥＦを使用して分画されたとき、４０℃と１３０℃との間で溶離する少なくとも１種の分子画分であって、少なくとも０．５から約１までのブロックインデックスと、約１．３よりも大きい分子量分布（Ｍｗ／Ｍｎ）とを有することを特徴とする分子画分、または
（ｂ）ゼロよりも大きく、約１．０までの平均ブロックインデックス、および、約１．３よりも大きい分子量分布（Ｍｗ／Ｍｎ）
を有するエチレン／α−オレフィン共重合体を含み、前記エチレン／α−オレフィン共重合体がＣ6〜Ｃ18α−オレフィンを含む、潤滑剤組成物。
【請求項２８】
前記エチレン／α−オレフィン共重合体がＣ10〜Ｃ20α−オレフィンを含む、請求項２６または２７に記載の潤滑剤組成物。
【請求項２９】
前記エチレン／α−オレフィン共重合体がデセンを含む、請求項２６〜２８のいずれか１項に記載の潤滑剤組成物。
【請求項３０】
前記エチレン／α−オレフィン共重合体がドデセンを含む、請求項２６〜２８のいずれか１項に記載の潤滑剤組成物。